(57)【要約】【解決手段】一対の針管挟持部で注射針装置の針管を挟持し、かつ前記針管を加熱又は発熱して一定時間を経過させてディスポーザルタイプの注射針装置の熱可塑性樹脂の針管支持部が熱可塑状態又は溶解状態になったら前記針管を前記針管支持部から引抜く。【効果】針管を挟持しかつ伝熱加熱し又は電気的手法で発熱させて針管から伝わる熱でシリンジの針管支持面を可塑状態又は溶融状態にして引抜くので使用後の針管に触ることなく針管を堅く固定しているシリンジから該針管を極めて短時間に引抜くことができてかつ針管に対して熱殺菌を行うことができて、針管と、シリンジやピストン等の熱可塑性樹脂とを分別する安全な廃棄を行うことができ、又、シリンジの溶解樹脂が針管に付着して来ないので多量処理を行っても針管引抜き装置に付着して堆積することがなく筐体上面や針管挟持部を綺麗に保てる。【選択図】  図１
2006296819.tif 000002
【特許請求の範囲】
【請求項１】
一対の針管挟持部で注射針装置の針管を挟持し、かつ前記針管を伝熱、通電発熱により高温に加熱して一定時間を経過させてディスポーザルタイプの注射針装置の熱可塑性樹脂の針管支持部が熱可塑状態又は溶解状態になったら前記針管を前記針管支持部から引抜くことを特徴とする注射針装置の針管分離方法。
【請求項２】
伝熱ヒータにより前記針管挟持部を加熱し、該加熱した針管挟持部で前記注射針装置の針管を挟持し、針管挟持状態で伝熱に必要な一定時間を経過させて前記注射針装置の熱可塑性樹脂の針管支持部が熱可塑状態又は溶解状態になったら前記針管挟持部と前記針管支持部とを相対的に離間移動させることにより前記針管を前記針管支持部から引抜くことを特徴とする請求項１に記載の注射針装置の針管分離方法。
【請求項３】
一対の針管挟持部で前記注射針装置の針管を挟持し、かつ前記針管の基端側部分にニクロム線電極を接触するとともに針先側部分に白金電極を接触させてから電極間に通電して前記針管のニクロム線電極接触部を加熱して一定時間を経過させて前記注射針装置の熱可塑性樹脂の針管支持部が熱可塑状態又は溶解状態になったら前記針管を前記針管支持部から引抜くことを特徴とする請求項１に記載の注射針装置の針管分離方法。
【請求項４】
前記針管支持部を移動不能に係止して、前記針管挟持部を前記針管支持部に対して離間する方向に移動させて前記針管を前記針管支持部から引き抜くことを特徴とする請求項１乃至３のいずれか１に記載の注射針装置の針管分離方法。
【請求項５】
前記針管挟持部が前記針管の挟持を解除することにより前記針管挟持部から離れる前記針管を回収容器に回収することを特徴とする請求項１乃至４のいずれか１に記載の注射針装置の針管分離方法。
【請求項６】
前記針管を下向きに下降して筐体の上面部に設けた針管挿入孔に挿入して前記針管支持部を筐体の上面に当接停止させて、この状態で筐体内に垂下する前記針管を前記針管挟持部で挟持し、又前記針管挟持部からの引抜きを終えて重力落下する前記針管を前記針管挟持部の下側に備える回収容器に回収することを特徴とする請求項１又は２に記載の注射針装置の針管分離方法。
【請求項７】
ディスポーザルタイプの注射針装置の針管を挟持する一対の針管挟持部と、前記一対の針管挟持部が注射針装置の針管を挟持したときに前記針管を伝熱、放射熱、又は抵抗体発熱により高温に加熱して注射針装置の熱可塑性樹脂の針管支持部を熱可塑状態又は溶解状態にする加熱又は発熱手段と、を備えたことを特徴とする注射針装置の針管分離装置。
【請求項８】
注射針装置の針管を挟持する一対の針管挟持部を有する針管挟持手段と、前記針管挟持部を伝熱加熱するように設けられ前記針管挟持部の伝熱加熱を介して前記針管が前記針管挟持部により挟持された状態の前記注射針装置又は前記注射針の熱可塑性樹脂の針管支持部を熱可塑状態になるまで加熱する伝熱ヒータと、を備えたことを特徴とする請求項７に記載の注射針装置の針管分離装置。
【請求項９】
注射針装置の針管を挟持する一対の針管挟持部を有する針管挟持手段と、一対の針管挟持部による前記注射針装置の針管の挟持時に前記針管の基端側部分にニクロム線電極を接触するとともに針先側部分に白金電極を接触させてから電極間に通電して前記針管のニクロム線電極接触部を加熱し一定時間を経過させて前記注射針装置の熱可塑性樹脂の針管支持部が熱可塑状態又は溶解状態とする針管加熱手段と、を備えたことを特徴とする請求項７に記載の注射針装置の針管分離装置。
【請求項１０】
前記針管挟持手段は、上下動自在なストローク部材に連結されていて前記ストローク部材の上動位置に停止状態のときに、前記針管を下向きにして筐体の上面に設けた針管挿入孔に挿入して前記針管支持部を筐体の上面に当接停止させた状態で筐体内に垂下する前記針管を前記針管挟持部が挟持し、前記注射針装置又は前記注射針の熱可塑性樹脂の針管支持部を熱可塑状態又は溶解状態になるまで加熱された時点以降において、前記ストローク部材を下降することにより前記針管挟持部を下降して前記針管支持部から前記針管の引抜きを行い、その後、前記針管挟持部が前記針管の挟持を解除する構成であることを特徴とする請求項７乃至９のいずれか１に記載の注射針装置の針管分離装置。
【請求項１１】
前記針管挟持部を開いて挟持解除され前記針管挟持領域より離れる前記針管を受け取り回収する回収容器と、を備えることを特徴とする注射針装置の針管分離装置。
【発明の詳細な説明】
【技術分野】
【０００１】
本発明は、１回使用で使い捨てのディスポーザルタイプの注射針装置の針管に手を触れないで針管支持部から針管を相対的に引く抜く注射針装置の針管分離方法、及び注射針装置の針管分離装置に関する。
【背景技術】
【０００２】
肝炎やエイズ等の血液感染病を回避するために１回使用で使い捨てのディスポーザルタイプの注射針装置が用いられる。該注射針装置は、針管（例えばステンレス管製）の基端が例えばポリエチレン等の熱可塑性樹脂製のシリンジの先端部にモールドされかつ針管にキャップを被嵌する針管・シリンジ一体型タイプである。該注射針装置は、使用後は針管に手を触れることなくかつ針管にキャップを被嵌することもなく速やかに滅菌処理して針管と熱可塑性樹脂とに分けた分別廃棄が行われることが望ましい。
【０００３】
しかし、従来において、前記注射針装置の廃棄は、針管とシリンジ（熱可塑性樹脂製の針管支持部）を分離しないで行われていて、針管はインゴットになり、熱可塑性樹脂は焼失する（特許文献１参照）。
【特許文献１】特開平７−３１３５６０号公報
【発明の開示】
【発明が解決しようとする課題】
【０００４】
特許文献１の注射針装置の廃棄は、相当量の注射針装置を集めてから焼失廃棄を行うものであり廃棄効率が大変悪い。注射針装置を１つ毎に焼失廃棄を行わないので長時間にわたり針管の熱消毒を行わないことになり肝炎やエイズ等の血液感染病を回避する観点からは好ましくない。
【０００５】
本発明の目的は、上述した点に鑑み案出したもので、使用後直ちに針管に触ることなくシリンジから針管を極めて短時間に引抜き分離することができかつ針管に熱殺菌を行える注射針装置の針管分離方法及び装置を提供することにある。
【課題を解決するための手段】
【０００６】
請求項１に記載の注射針装置の針管分離方法は、一対の針管挟持部で注射針装置の針管を挟持し、かつ前記針管を伝熱、放射熱、又は抵抗体発熱により高温に加熱して一定時間を経過させてディスポーザルタイプの注射針装置の熱可塑性樹脂の針管支持部が熱可塑状態又は溶解状態になったら前記針管を前記針管支持部から引抜くことを特徴とする。
【０００７】
請求項７に記載の注射針装置の針管分離装置は、ディスポーザルタイプの注射針装置の針管を挟持する一対の針管挟持部と、前記一対の針管挟持部が注射針装置の針管を挟持したときに前記針管を伝熱、放射熱、又は抵抗体発熱により高温に加熱して注射針装置の熱可塑性樹脂の針管支持部を熱可塑状態又は溶解状態にする加熱又は発熱手段と、を備えたことを特徴とする。
【発明の効果】
【０００８】
本発明によれば、針管を堅く固定しているシリンジを直接加熱して溶解除去するのではなくて針管を挟持しかつ伝熱加熱し又は電気的手法で発熱させて針管から伝わる熱でシリンジの針管支持面を可塑状態又は溶融状態にして引抜くので使用後の針管に触ることなく針管を堅く固定しているシリンジから該針管を極めて短時間に引抜くことができてかつ針管に対して熱殺菌を行うことができて、針管と、シリンジやピストン等の熱可塑性樹脂とを分別する安全な廃棄を行うことができ、又、シリンジの溶解樹脂が針管に付着して来ないので多量処理を行っても針管引抜き装置に付着して堆積することがなく筐体上面や針管挟持部を綺麗に保てる。
【発明を実施するための最良の形態】
【０００９】
以下、この発明の実施の形態を図面を用いて説明する。
【００１０】
[構成]
図１において、注射針装置の針管分離装置は、筐体１内に針管挟持手段２を備え、該針管挟持手段２を基台３上に設けた昇降手段４が支持する構造であり、針管ａ1を下向きに筐体１の上面部に設けた針管挿入孔１ａに挿入して針管支持部ａ2を筐体１の上面部に当接停止させて、この状態で筐体１内に垂下する前記針管ａ1を針管挟持手段２で挟持すると、針管挟持手段２の針管挟持部２ｄ1，２ｄ2が例えば170℃〜180℃の高温に予め加熱されているので数秒間で針管ａ1を支持している熱可塑性樹脂よりなる針管支持部ａ2が熱可塑状態又は溶解状態になり、昇降手段４を下降作動させると、前記針管挟持手段２が針管ａ1を挟持したままで下降して針管ａ1を針管支持部ａ2から引抜くことができ、前記針管挟持手段２を開いて針管ａ1の挟持を解除すると、針管ａ1が重力落下し該針管ａ1を前記針管挟持部２ｄ1，２ｄ2の下側に備える回収容器５に回収できる構成である。回収容器５は扉６を開いて取り出せる。
【００１１】
昇降手段４は、基台３上に立設した主ブラケット４ａに付設されたモータ取付けブラケット４ｂに取付けられていて出力軸４ｃ’を１８０度往復旋回する減速機付きロータリーアクチュエータ４ｃと、前記主ブラケット４ａの側面に付設されたチャンネル形状のガイドブラケット４ｄの下部水平部４ｄ’と上部水平部４ｄ”に昇降可能にガイドされる回転不能な昇降ロッド４ｅと、前記ロータリーアクチュエータ４ｃの水平な出力軸４ｃ’に固定された偏心円盤４ｆと、前記昇降ロッド４ｅに固定され前記偏心円盤４ｆを円筒面を挟んでいる回転−直動運動変換伝達ブロック４ｇとからなる。
【００１２】
前記針管挟持手段２は、全体が前記昇降ロッド４ｅの上半部４ｅ’に支持されるように設けられている。
【００１３】
図１と図３に示すように、前記針管挟持手段２は、前記昇降ロッド４ｅの上半部４ｅ’の上部と下部に軸受ブロック２ｈ’，２ｈ”が被嵌固定している固定アーム２ａと、前記昇降ロッド４ｅの上半部４ｅ’の中程に軸受ブロック２ｊが被嵌して前記昇降ロッド４ｅの上半部４ｅ’を固定軸として水平面内を揺動可能である揺動アーム２ｂと、前記固定アーム２ａ及び前記揺動アーム２ｂの張出部２ａ’,２ｂ’の対向面に不導体の断熱材２ｃを挟んで設けた真鍮製の板状の針管挟持部２ｄ1，２ｄ2と、前記固定アーム２ａ及び前記針管挟持部２ｄ1との間に設けた伝熱ヒータであるセラミックヒータ２ｅと、前記一対の針管挟持部２ｄ1，２ｄ2を閉じ合わせるように前記固定アーム２ａと揺動アーム２ｂの張出部の外面を付勢し挟持力を生起するばね２ｆと、前記固定アーム２ａと前記揺動アーム２ｂの前記張出部２ａ’,２ｂ’とは反対側の張出部２ａ”,２ｂ”間に挟まれかつピストン頭部とシリンダ基部とが両者を連結して設けられ張出部２ａ”,２ｂ”の連結距離を接近させ前記一対の針管挟持部２ｃ，２ｃを開き前記針管ａ1の挟持解除を行うシリンダ形電磁アクチュエータ２ｇとからなる。
【００１４】
筐体１内には、他に電源装置７を備え、筐体１の上面には第１のスイッチ８ａと第２のスイッチ８ｂと第３のスイッチ８ｃと表示ランプ９を備えている。
【００１５】
第１のスイッチ８ａは、「オン」にすることにより電源回路７に給電するための押し込みオンのホールド形のメインスイッチである。電源回路７に給電されて電流がセラミックヒータ２ｅへ流れるとともに、第２のスイッチ８ｂを介して前記シリンダ形電磁アクチュエータ２ｇへ給電され、又、第３のスイッチ８ｃを介して前記ロータリーアクチュエータ４ｃへ給電される。表示ランプ９は、セラミックヒータ２ｅに付設された熱電対（図示しない）が170℃〜180℃になって信号出力すると点灯する構成である。
【００１６】
第２のスイッチ８ｂは、電源回路７から前記シリンダ形電磁アクチュエータ２ｇへの給電を行うためのオン−オフ形のタンブラースイッチである。
【００１７】
第３のスイッチ８ｃは、前記ロータリーアクチュエータ４ｃの作動を逆転させるために電源回路７から前記ロータリーアクチュエータ４ｃへの給電の切替えを行うオン−オン形のタンブラースイッチである。
【００１８】
なお、筐体１の上面には、第２のスイッチ８ｂに「開」と「閉」が付記され、又第３のスイッチ８ｃに「上昇」と「下降」が付記される。
【００１９】
[作用]
先ず、装置の電源コード（図示しない）を電源に接続して第１のスイッチ８ａを「オン」にするとともに、第２のスイッチ８ｂを「閉」の側に押し込まれ「オフ」の状態を確認し、並びに第３のスイッチ８ｃを「上昇」の側に押し込まれていることを確認する。
【００２０】
第３のスイッチ８ｃを「上昇」の側に押し込まれているときは、前記昇降ロッド４ｅの上半部４ｅ’に支持される前記針管挟持手段２の全体が図１に示す上昇位置にある。
【００２１】
第１のスイッチ８ａを「オン」にすると、電源回路７に給電されて電流がセラミックヒータ２ｅへ流れる。該セラミックヒータ２ｅは、例えば170℃〜180℃に発熱して第２のスイッチ８ｂが「オフ」の状態であるのでばね２ｆの付勢により閉じている一対の針管挟持部２ｃ，２ｃを170℃〜180℃に加熱する。表示ランプ９は、セラミックヒータ２ｅが170℃〜180℃になると点灯する。これにより、装置の使用可能な状態になったことが分かる。
【００２２】
次いで、注射針装置Ａの針管ａ1を筐体１の上面部に設けた針管挿入孔１ａに挿入する前に、第２のスイッチ８ｂを「開」の側に押し込んで「オン」の状態にする。これにより、前記電源回路７から前記シリンダ形電磁アクチュエータ２ｇへ給電が行われ、前記シリンダ形電磁アクチュエータ２ｇが縮小作動してばね２ｆの付勢に抗して前記一対の針管挟持部２ｃ，２ｃを例えば５ｍｍの隙間が生じるように開く。
【００２３】
しかる後、操作者は、注射針装置Ａのシリンジ部分ａ3を把持して針管ａ1を筐体１の上面部に設けた針管挿入孔１ａに挿入し針管支持部ａ2が筐体１の上面部に当接停止した状態に保持する。すると、筐体１内に垂下する針管ａ1は前記一対の針管挟持部２ｃ，２ｃの隙間に挿入され針先は前記一対の針管挟持部２ｃ，２ｃよりも下側に位置することになる。
【００２４】
次いで、第２のスイッチ８ｂを「閉」の側に押し込んで「オフ」にする。これにより、前記電源回路７から前記シリンダ形電磁アクチュエータ２ｇへの給電が遮断され、前記シリンダ形電磁アクチュエータ２ｇが内部ばねにより伸長復帰していき、ばね２ｆの付勢により前記一対の針管挟持部２ｃ，２ｃが閉じて針管ａ1を挟持する。
【００２５】
前記一対の針管挟持部２ｃ，２ｃが針管ａ1を挟持すると、前記一対の針管挟持部２ｃ，２ｃの熱が針管ａ1に伝わり、さらに熱可塑性樹脂の針管支持部ａ2に伝わり、挟持時間が例えば５秒間経過した時点で、針管支持部ａ2が熱可塑状態又は溶解状態になる。
【００２６】
そこで、挟持時間が例えば５秒間経過したら、第３のスイッチ８ｃを「下降」の側に「オン」の状態に切り替える。これにより、電源回路７から前記ロータリーアクチュエータ４ｃへの給電が切り替わり、前記ロータリーアクチュエータ４ｃの出力軸４ｃ’が１８０度回転して出力軸４ｃ’に設けられた前記偏心円盤４ｆの最大径が下側に来るように切替わる。前記偏心円盤４ｆの最大径が上側に位置する状態から下側に位置する状態になることに伴い、偏心円盤４ｆの円周面を挟んでいる回転−直動運動変換伝達ブロック４ｇは、偏心円盤４ｆの最大径と最小径の差の２倍のストロークを下降することになる。従って、回転−直動運動変換伝達ブロック４ｇを固定している昇降ロッド４ｅ及び昇降ロッド４ｅの上半部４ｅ’に支持されている針管挟持手段２の全体が回転−直動運動変換伝達ブロック４ｇと一体に下降して図２に示す下降位置にある。
【００２７】
従って、針管挟持手段２は、熱可塑状態又は溶解状態になっている針管支持部ａ2から針管ａ1を小さな引抜き力を負担して引抜くことができる。操作者は、注射針装置Ａのシリンジ部分ａ3を握っている手に針管ａ1の引抜きが終わったことが伝わるので、針管レスの注射針装置Ａを箱（図示しない）に廃棄する。
【００２８】
次いで、第２のスイッチ８ｂを再び「開」の側に押し込んで「オン」の状態に切り替える。これにより、前記シリンダ形電磁アクチュエータ２ｇが縮小作動して前記一対の針管挟持部２ｃ，２ｃを開いて針管ａ1の挟持を解除する。すると、引抜いた後の針管ａ1が回収容器５内へ重力落下し、引抜き後の針管ａ1を引き続き手で触れることなく回収容器５に回収できる。上記のように、一対の針管挟持部２ｃ，２ｃは、針先を下側に位置するように避けて針管ａ1を挟持する構成であり、針管ａ1の針先を挟まないので針管ａ1の針先に付着することがある血が一対の針管挟持部２ｃ，２ｃへ付着することが回避される。
【００２９】
その後、第２のスイッチ８ｂを「閉」の側に押し込んで「オフ」の状態に切り替え、セラミックヒータ２ｅがばね２ｆの付勢により閉じている一対の針管挟持部２ｃ，２ｃを加熱する状態に復帰させる。
【００３０】
次いで、第３のスイッチ８ｃを「上昇」の側に押し込んで「オン」の状態に切り替える。これにより、電源回路７から前記ロータリーアクチュエータ４ｃへの給電が再び切り替わり、前記ロータリーアクチュエータ４ｃの出力軸４ｃ’が１８０度逆回転して出力軸４ｃ’に設けられた前記偏心円盤４ｆの最大径が上側に来るように切替わり、昇降ロッド４ｅ及び昇降ロッド４ｅの上半部４ｅ’に支持されている針管挟持手段２の全体が上昇復帰して  図１に示す上昇位置になる。
【００３１】
以上で、針管の引抜きの一連の動作が完了する。
【００３２】
上記実施の形態によれば、針管を挟持しかつ伝熱加熱しさらに針管から伝わる熱でシリンジの針管支持面を可塑状態又は溶融状態にして引抜くので使用後の針管に触ることなく針管を堅く固定しているシリンジから該針管を極めて短時間に引抜くことができてかつ針管に対して熱殺菌を行うことができて、針管と、シリンジやピストン等の熱可塑性樹脂とを分別する安全な廃棄を行うことができ、又、シリンジの溶解樹脂が針管に付着して来ないので多量処理を行っても針管引抜き装置に付着して堆積することがなく筐体上面や針管挟持部を綺麗に保てる。
【００３３】
次に、この発明の注射針装置の針管分離方法・装置について第２の実施の形態を図４を用いて説明する。
【００３４】
図４において、固定アーム２ａに対して揺動アーム２ｂを閉動すると、一対の針管挟持部２ｄ1，２ｄ2が前記注射針装置Ａの針管ａ1を挟持するととともに、電極端子１０に接続されていて不導体の断熱材１１の針管挟持面に巻かれた一対のニクロム線電極１２が前記針管挟持部２ｄ1，２ｄ2の上側の針管ａ1の基端側部分を挟んで接触し、かつ電極端子１３に接続されていて不導体の断熱材１４の針管挟持面に巻かれた一対の白金電極１５が前記針管挟持部２ｄ1，２ｄ2の下側の針管ａ1の針先側部分を挟んで接触する。
【００３５】
しかる後、ニクロム線電極１２と白金電極１４との間に直流又は交流を流すことができる。
【００３６】
ニクロム線電極１２と白金電極１４との間に電流を流すと、ニクロム線電極１２が１〜２秒間位で赤熱して針管ａ１を伝熱加熱するとともに、ニクロム線電極１２の針管ａ1に対する接触抵抗と比抵抗は大きいことに起因して針管ａ1のニクロム線電極接触部で発熱し、さらに、針管ａ1のニクロム線電極１２と白金電極１４との間の抵抗に起因して発熱する。上記構成の場合、ニクロム線電極１２の針管ａ1に対する接触抵抗と比抵抗は大きく、白金電極１４の針管ａ1に対する接触抵抗と比抵抗は小さいので、針管ａ1のニクロム線電極接触部で高温になり、針管ａ1の白金電極接触部では高温にはならない。
【００３７】
図１に示す昇降手段４で針管挟持手段２を昇降する構成は、図４において、図示していないが、同様に備えているものとする。
【００３８】
上記のように、ニクロム線電極１２と白金電極１４との間に電流を流してから僅かな時間（数秒間）で注射針装置Ａの熱可塑性樹脂の針管支持部ａ2が熱可塑状態又は溶解状態になる。しかる後に、昇降手段で針管挟持手段を下降することにより、針管挟持手段が前記針管ａ1を前記針管支持部ａ2から引抜く。
【００３９】
本発明は、第１の実施の形態について以下のように変形した構成も技術的範囲に含む。
【００４０】
図１において、前記針管挟持部２ｄ1，２ｄ2の開閉と昇降手段４の昇降の一連の動作をシーケンス回路によって自動的に行なう構成。さらに加えて、注射針装置の針管ａ1を筐体１の上面部に設けた針管挿入孔１ａに挿入するとセンサが検知して自動的に前記針管挟持部２ｄ1，２ｄ2が開閉して針管ａ1を挟持する構成。
【００４１】
この構成によれば、使い勝手が最も良好となる。
【００４２】
図１において、前記針管挟持部２ｄ1，２ｄ2の両方を各別の伝熱ヒータで加熱し針管ａ1を挿入する前は前記針管挟持部２ｄ1，２ｄ2を開いていて、針管ａ1を挿入してから前記針管挟持部２ｄ1，２ｄ2を閉じて針管ａ1を挟持する構成。
【００４３】
図１において、前記針管挟持部２ｄ2のみの開閉可動ではなく前記針管挟持部２ｄ1，２ｄ2の両方が開閉可動して挟持及び挟持解除を行う構成。
【００４４】
図１において、ばね２ｆが固定アーム２ａと揺動アーム２ｂを閉じるのではなくて開くように設けられ、第２のスイッチ８ｂを「オン」にするとシリンダ形電磁アクチュエータ２ｇが固定アーム２ａと揺動アーム２ｂを閉じる構成。
【００４５】
図１において、ばね２ｆが無くて、シリンダ形電磁アクチュエータ２ｇが復動式であり、固定アーム２ａと揺動アーム２ｂを開閉を行う構成。
【００４６】
図１において、固定アーム２ａと揺動アーム２ｂとばね２ｆとシリンダ形電磁アクチュエータ２ｇが無くて、針管挟持部２ｄ1，２ｄ2を開閉する別の手段が設けられた構成。
【００４７】
図１において昇降手段４が存在しない構成。この構成では、前記一対の針管挟持部２ｃ，２ｃが針管ａ1を挟持して挟持時間が例えば５秒間経過した時点で、針管支持部ａ2が熱可塑状態又は溶解状態になったら、注射針装置Ａのシリンジａ3を握った手（人力）でシリンジａ3の引き上げを行う。針管支持部ａ2が熱可塑状態又は溶解状態になっているので、小さな引抜き力を負担して針管ａ1を相対的に引抜くことができる。
【００４８】
昇降手段４が存在しない構成では、装置に針管引抜き機能を有しないが、装置構成が極めて簡素で小型になり大幅なコスト低減になる。
【００４９】
図１において昇降手段４が存在せず、針管支持部ａ2が熱可塑状態又は溶解状態になったら、注射針装置Ａのシリンジａ3を人力ではなく機械的に引き上げる手段を筐体の上側に備えた構成。
【００５０】
注射針装置を水平にして針管を筐体の側面部に設けた針管挿入孔に挿入する構成。すなわち、図１の装置を時計回りに９０度を向きを変えた配置とし回収容器については配置変えして針管挟持部の下側に備える構成。
【図面の簡単な説明】
【００５１】
【図１】本発明の実施の形態にかかる注射針装置の針管分離装置の縦断正面図。
【図２】図１の注射針装置の針管分離装置の針管引抜き時の縦断正面図。
【図３】図１におけるIII−III矢視図。
【図４】本発明の他の実施の形態にかかる注射針装置の針管分離装置の要部縦断面図。
【符号の説明】
【００５２】
Ａ  注射針装置
ａ1  針管
ａ2  針管支持部
１  筐体
１ａ  針管挿入孔
２  針管挟持手段
２ｄ1，２ｄ2  針管挟持部
２ｅ  伝熱ヒータであるセラミックヒータ
４  昇降手段
５  回収容器
１２  ニクロム線電極
１５  白金電極
【図１】
2006296819.tif 000003
【図２】
2006296819.tif 000004
【図３】
2006296819.tif 000005
【図４】
2006296819.tif 000006